(57)【要約】【課題】配送ラベルが貼着された配送物を配送業者以外の拠点にて受け取り可能としながらも、受取人が受け取りに来なかった場合に配送業者が配送物を再配送可能とする。【解決手段】表面シート１０と中間シート２０とが剥離可能に擬似接着されるとともに、中間シート２０の表面シート１０とは反対側の面に裏面シート３０が剥離可能に貼着され、表面シート１０は、互いに対向する２つの端辺に沿う領域にそれぞれ沿うハーフスリット１３ｃ，１３ｄを有し、中間シート２０は、ハーフスリット１３ｃ，１３ｄに対向する領域に挟まれた領域ジッパーミシン２３ａ，２３ｂを有するとともに、裏面シート３０との貼着面のうちジッパーミシン２３ａ，２３ｂに挟まれた領域の外側に粘着層５０が積層され、裏面シート３０は、粘着層５０によって中間シート２０と剥離可能に貼着されている。【選択図】図１
2020006585.tif 000002
【特許請求の範囲】
【請求項１】
第１のシートと第２のシートとが剥離可能に擬似接着されるとともに、前記第２のシートの前記第１のシートとの擬似接着面とは反対側の面に第３のシートが剥離可能に貼着されてなるラベルであって、
前記第１のシートは、互いに対向する２つの端辺に沿う領域に、前記２つの端辺にそれぞれ沿う２本の第１の切り離し線を有し、
前記第２のシートは、前記２本の第１の切り離し線に対向する領域に挟まれた領域に、当該対向する領域にそれぞれ沿う２本の第２の切り離し線を有するとともに、前記第３のシートとの貼着面のうち前記２本の第２の切り離し線に挟まれた領域の外側の少なくとも一部に粘着層が積層され、
前記第３のシートは、前記第２のシートとの貼着面のうち少なくとも前記粘着層に対向する領域に剥離層が積層されている、ラベル。
【請求項２】
請求項１に記載のラベルにおいて、
前記第１のシートは、複数の領域が互いに分離可能に区画形成されている、ラベル。
【請求項３】
配送物に貼着される本ラベルと、第１のシートと第２のシートとが剥離可能に擬似接着されるとともに、前記第２のシートの前記第１のシートとの擬似接着面とは反対側の面に第３のシートが剥離可能に貼着され、前記本ラベルを跨って前記配送物に貼着される補助ラベルとからなるラベルセットであって、
前記本ラベルは、前記配送物との貼着面とは反対側の面に、個人情報及び第１の識別情報が表示され、
前記第１のシートは、前記第１の識別情報に対応づけられた第２の識別情報が表示され、互いに対向する２つの端辺に沿う領域に、前記２つの端辺にそれぞれ沿う２本の第１の切り離し線を有し、
前記第２のシートは、前記２本の第１の切り離し線に対向する領域に挟まれた領域に、当該対向する領域にそれぞれ沿う２本の第２の切り離し線を有するとともに、前記第３のシートとの貼着面のうち前記２本の第２の切り離し線に挟まれた領域の外側の少なくとも一部に粘着層が積層され、
前記第３のシートは、前記第２のシートとの貼着面のうち少なくとも前記粘着層に対向する領域に剥離層が積層され、
前記補助ラベルは、前記第３のシートが剥離され、前記第２のシートの前記２本の第２の切り離し線に挟まれた領域が前記本ラベルに対向するように前記個人情報を覆って前記粘着層によって前記配送物に貼着される、ラベルセット。
【発明の詳細な説明】
【技術分野】
【０００１】
本発明は、２枚のシートが剥離可能に擬似接着されるとともに、２枚のシートのうち一方のシートに３枚目のシートが剥離可能に貼着されてなるラベルに関する。
【背景技術】
【０００２】
一般に、配送物を配送する場合、配送物の配送元及び配送先の住所や氏名あるいは名称等の配送情報が印字された配送ラベルが用いられている。このような配送ラベルは、例えば、配達票と貼付票とを有し、これら配達票と貼付票のそれぞれに上述したような配送情報が印字され、裏面に積層された粘着層によって配送物に貼着されて使用される。そして、配送物が配送先に配送された後、配送物に貼着された配送ラベルのうち配達票が配送ラベルから分離され、配送業者等にて持ち帰られることになる。
【０００３】
近年、上述したような配送ラベルとして、２枚のシートが剥離可能に擬似接着されるとともに、２枚のシートのうち一方のシートに粘着層が積層され、粘着層によって配送物に貼着された後に、上述した配達票となる領域について２枚のシートを剥離して使用されるものが考えられている（例えば、特許文献１参照）。
【０００４】
ところで、配送物の配送は、配送物の受取人が不在の場合、配送業者が不在連絡票を郵便受けに入れて配送物を持ち帰り、その後、不在連絡票を見た受取人が再配送の日時を指定し、その日時に再配送がされることが一般的に行われている。ところが、配送物の受取人の在宅時間が不規則な場合、再配送の日時を指定することは難しく、配送物を自ら受け取りに行った方が便利なこともある。
【０００５】
しかしながら、不在連絡票を見た受取人が配送物を自ら受け取りに行く場合、配送物を配送した配送業者の配送拠点まで出向かなければならず、配送拠点が自宅から遠い受取人にとっては不便である。
【先行技術文献】
【特許文献】
【０００６】
【特許文献１】特開２０１７−１２５９１８号公報
【発明の概要】
【発明が解決しようとする課題】
【０００７】
上述したように配送物の受取人が配送物を自ら受け取りに行く場合の利便性を向上したサービスとして、配送物の受取人が不在だった場合に、その後、受取人がコンビニエンスストアで配送物を受け取れるサービスが考えられる。
【０００８】
しかしながら、配送業者が一度配送した配送物を受取人がコンビニエンスストアで受け取るサービスを構築する場合、上述したような配達票と貼付票とを有する配送ラベルだけでは、配送業者からコンビニエンスストアに配送物が配送された旨をその記録として残しておきにくい。その場合、配送ラベルとは別個に、配送ラベルに対応づけられた伝票を用いることが考えられるが、その伝票が配送物に添付されていなければ、伝票がどの配送物のものであるかがわからなくなってしまう虞がある。
【０００９】
また、コンビニエンスストアで配送物を受け取ることを指定した受取人が配送物を受け取りに来ないことも想定され、その場合、配送業者が配送物を再配送することも可能としておく必要がある。
【００１０】
本発明は、上述したような従来の技術が有する問題点に鑑みてなされたものであって、配送ラベルが貼着されて配送された配送物を配送業者以外の拠点にて受け取るサービスを可能としながらも、受取人がその拠点に受け取りに来なかった場合に配送業者が配送ラベルを用いて配送物を再配送することを可能とするラベル及びラベルセットを提供することを目的とする。
【課題を解決するための手段】
【００１１】
上記目的を達成するために本発明は、
第１のシートと第２のシートとが剥離可能に擬似接着されるとともに、前記第２のシートの前記第１のシートとの擬似接着面とは反対側の面に第３のシートが剥離可能に貼着されてなるラベルであって、
前記第１のシートは、互いに対向する２つの端辺に沿う領域に、前記２つの端辺にそれぞれ沿う２本の第１の切り離し線を有し、
前記第２のシートは、前記２本の第１の切り離し線に対向する領域に挟まれた領域に、当該対向する領域にそれぞれ沿う２本の第２の切り離し線を有するとともに、前記第３のシートとの貼着面のうち前記２本の第２の切り離し線に挟まれた領域の外側の少なくとも一部に粘着層が積層され、
前記第３のシートは、前記第２のシートとの貼着面のうち少なくとも前記粘着層に対向する領域に剥離層が積層されている。
【００１２】
上記のように構成された本発明においては、配送ラベルが貼着された配送物に貼着する場合、第３のシートを第２のシートから剥離し、第２のシートの２本の第２の切り離し線に挟まれた領域が配送ラベルに対向するように配送ラベルを跨って、粘着層によって配送物に貼着する。そして、配送物が配送業者以外の拠点に配送された際に、第１のシートのうち２本の第１の切り離し線で挟まれた領域を第１のシートから切り離して第２のシートから剥離し、それを配送業者が持ち帰ることで、配送物が配送業者以外の拠点に配送された旨を記録として残すことができる。その後、配送物の受取人がその拠点に配送物を受け取りに来なかった場合は、第２のシートのうち２本の第２の切り離し線で挟まれた領域を第２のシートから切り離すことで、配送ラベルが表出し、配送ラベルに表示された情報に従って配送物を再配送することができる。この際、第２のシートの第２の切り離し線が、第１のシートに形成された２本の第１の切り離し線に対向する領域に挟まれた領域に形成されているため、配送物が配送業者以外の拠点に配送された際に、第１のシートの２本の第１の切り離し線で挟まれた領域が第１のシートから切り離された状態においては、第２のシートの２本の第２の切り離し線で挟まれた領域が第１のシートに覆われておらず、それにより、第２のシートの２本の第２の切り離し線で挟まれた領域を第２のシートから容易に切り離すことができる。また、第２のシートの２本の第２の切り離し線に挟まれた領域が配送ラベルに対向するように配送ラベルを跨って配送物に貼着されているため、ラベルが粘着層によって配送ラベルに貼着されていない状態となっており、第２のシートの２本の第２の切り離し線で挟まれた領域を第２のシートから切り離すことで、配送ラベルを表出させることができる。
【００１３】
このように、第１のシートの２本の第１の切り離し線に挟まれた領域を第１のシートから切り離して第２のシートから剥離し、それを配送業者が持ち帰ることで、配送物が配送業者以外の拠点に配送された旨を記録として残すことにより、配送ラベルが貼着されて配送された配送物を配送業者以外の拠点にて受け取るサービスが可能となる。また、配送物の受取人がその拠点に配送物を受け取りに来なかった場合に、第２のシートの２本の第２の切り離し線に挟まれた領域を第２のシートから切り離すことで配送ラベルを表出させることにより、配送業者が配送ラベルを用いて配送物を再配送することが可能となる。
【００１４】
また、第１のシートが、複数の領域が互いに分離可能に区画形成されていれば、配送物が配送業者以外の拠点に配送された際以外にも、所定の処理が行われた際に第１のシートの区画形成された領域を第２のシートから剥離することで、その旨を記録として残すことができる。
【００１５】
また、配送物に貼着される本ラベルと、第１のシートと第２のシートとが剥離可能に擬似接着されるとともに、前記第２のシートの前記第１のシートとの擬似接着面とは反対側の面に第３のシートが剥離可能に貼着され、前記本ラベルを跨って前記配送物に貼着される補助ラベルとからなるラベルセットであって、
前記本ラベルは、前記配送物との貼着面とは反対側の面に、個人情報及び第１の識別情報が表示され、
前記第１のシートは、前記第１の識別情報に対応づけられた第２の識別情報が表示され、互いに対向する２つの端辺に沿う領域に、前記２つの端辺にそれぞれ沿う２本の第１の切り離し線を有し、
前記第２のシートは、前記２本の第１の切り離し線に対向する領域に挟まれた領域に、当該対向する領域にそれぞれ沿う２本の第２の切り離し線を有するとともに、前記第３のシートとの貼着面のうち前記２本の第２の切り離し線に挟まれた領域の外側の少なくとも一部に粘着層が積層され、
前記第３のシートは、前記第２のシートとの貼着面のうち少なくとも前記粘着層に対向する領域に剥離層が積層され、
前記補助ラベルは、前記第３のシートが剥離され、前記第２のシートの前記２本の第２の切り離し線に挟まれた領域が前記本ラベルに対向するように前記個人情報を覆って前記粘着層によって前記配送物に貼着される。
【００１６】
上記のように構成された本発明においては、本ラベルが貼着された配送物に補助ラベルを貼着する場合、第３のシートを第２のシートから剥離し、第２のシートの２本の第２の切り離し線に挟まれた領域が本ラベルに対向するように本ラベルを跨って、粘着層によって補助ラベルを配送物に貼着する。この状態では、本ラベルに表示された個人情報が視認不可能であるため、例えば、配送物が配送業者以外の拠点に配送された際に、その拠点にて個人情報が見られてしまうことが回避される。そして、配送物が配送業者以外の拠点に配送された際に、第１のシートの２本の第１の切り離し線で挟まれた領域を第１のシートから切り離して第２のシートから剥離し、それを配送業者が持ち帰ることで、配送物が配送業者以外の拠点に配送された旨を記録として残すことができる。その際、本ラベルには第１の識別情報が表示されているが、第１のシートにも第１の識別情報に対応づけられた第２の識別情報が表示されているため、第２の識別情報を読み取ることで、第１の識別情報によって管理される情報を把握することができる。その後、配送物の受取人がその拠点に配送物を受け取りに来なかった場合は、第２のシートの２本の第２の切り離し線で挟まれた領域を第２のシートから切り離すことで、本ラベルが表出し、本ラベルに表示された情報に従って配送物を再配送することができる。この際、第２のシートの第２の切り離し線が、第１のシートに形成された２本の第１の切り離し線に対向する領域に挟まれた領域に形成されているため、配送物が配送業者以外の拠点に配送された際に、第１のシートの２本の第１の切り離し線で挟まれた領域が第１のシートから切り離された状態においては、第２のシートの２本の第２の切り離し線で挟まれた領域が第１のシートに覆われておらず、それにより、第２のシートの２本の第２の切り離し線で挟まれた領域を第２のシートから容易に切り離すことができる。また、補助ラベルが、第２のシートの第２の切り離し線に挟まれた領域が本ラベルに対向するように本ラベルを跨って配送物に貼着されているため、補助ラベルが粘着層によって本ラベルに貼着されていない状態となっており、第２のシートの２本の第２の切り離し線に挟まれた領域を第２のシートから切り離すことで、本ラベルを表出させることができる。
【００１７】
このように、第１のシートの２本の第１の切り離し線に挟まれた領域を第１のシートから切り離して第２のシートから剥離し、それを配送業者が持ち帰ることで、配送物が配送業者以外の拠点に配送された旨を記録として残すことにより、本ラベルが貼着されて配送された配送物を配送業者以外の拠点にて受け取るサービスが可能となる。また、配送物の受取人がその拠点に配送物を受け取りに来なかった場合に、第２のシートの２本の第２の切り離し線に挟まれた領域を第２のシートから切り離すことで本ラベルを表出させることにより、配送業者が本ラベルを用いて配送物を再配送することが可能となる。
【発明の効果】
【００１８】
本発明によれば、第１のシートの２本の第１の切り離し線に挟まれた領域を第１のシートから切り離して第２のシートから剥離し、それを配送業者が持ち帰ることで、配送物が配送業者以外の拠点に配送された旨を記録として残すことにより、配送ラベルが貼着されて配送された配送物を配送業者以外の拠点にて受け取るサービスを可能としながらも、配送物の受取人がその拠点に配送物を受け取りに来なかった場合に、第２のシートの２本の第２の切り離し線に挟まれた領域を第２のシートから切り離すことで配送ラベルを表出させることにより、配送業者が配送ラベルを用いて配送物を再配送することを可能とすることができる。
【００１９】
また、第１のシートが、複数の領域が互いに分離可能に区画形成されているものにおいては、配送物が配送業者以外の拠点に配送された際以外にも、所定の処理が行われた際に第１のシートの区画形成された領域を第２のシートから剥離することで、その旨を記録として残すことができる。
【００２０】
また、配送物に貼着される本ラベルと、本ラベルを跨って配送物に貼着される補助ラベルとからなるラベルセットにおいて、本ラベルに表示された第１の識別情報に対応づけられた第２の識別情報が補助ラベルに表示され、補助ラベルが、本ラベルに表示された個人情報を覆って配送物に貼着されるものにおいては、補助ラベルが本ラベルを跨って配送物に貼着された状態では、本ラベルに表示された個人情報が見られてしまうことを回避できるとともに、第２の識別情報を読み取ることで、第１の識別情報によって管理される情報を把握することができる。
【図面の簡単な説明】
【００２１】
【図１】本発明のラベルの実施の一形態を示す図であり、（ａ）は表面図、（ｂ）は（ａ）に示したＡ−Ａ’断面図である。
【図２】図１に示した補助ラベルを構成する中間シートを示す図であり、（ａ）はその構成を示す図、（ｂ）は裏面シートとの貼着面の構成を示す図である。
【図３】図１に示した補助ラベルを構成する裏面シートの中間シートとの貼着面の構成を示す図である。
【図４】図１に示した表面シートに形成されたハーフスリットと中間シートに形成されたジッパーミシンとの位置関係を示す図である。
【図５】図１に示した補助ラベルが貼着される被着体の一例を示す図である。
【図６】図１に示した補助ラベルの図５に示した配送物への貼着方法を説明するための図である。
【図７】図１に示した補助ラベルの図５に示した配送物への貼着方法を説明するための図である。
【図８】図１に示した補助ラベルが貼着された配送物がコンビニエンスストアに配送された際の補助ラベルの使用方法を説明するための図である。
【図９】図１に示した補助ラベルが貼着された配送物がコンビニエンスストアに配送された後に受取人が配送物を取りに来た際の補助ラベルの使用方法を説明するための図である。
【図１０】図１に示した補助ラベルが貼着された配送物がコンビニエンスストアに配送された後に受取人が配送物を取りに来なかった際の補助ラベルの使用方法を説明するための図である。
【発明を実施するための形態】
【００２２】
以下に、本発明の実施の形態について図面を参照して説明する。
【００２３】
図１は、本発明のラベルの実施の一形態を示す図であり、（ａ）は表面図、（ｂ）は（ａ）に示したＡ−Ａ’断面図である。図２は、図１に示した補助ラベル１を構成する中間シート２０を示す図であり、（ａ）はその構成を示す図、（ｂ）は裏面シート３０との貼着面の構成を示す図である。図３は、図１に示した補助ラベル１を構成する裏面シート３０の中間シート２０との貼着面の構成を示す図である。図４は、図１に示した表面シート１０に形成されたハーフスリット１３ｃ，１３ｄと中間シート２０に形成されたジッパーミシン２３ａ，２３ｂとの位置関係を示す図である。
【００２４】
本形態は図１に示すように、表面シート１０と中間シート２０と裏面シート３０とがこの順で積層されてなる補助ラベル１である。
【００２５】
表面シート１０は、本願発明における第１のシートとなるものであり、例えば、耐水性を有する上質紙から構成されている。表面シート１０は図１（ａ）に示すように、長方形の形状からなり、互いに対向する２つの短辺に沿う領域のそれぞれに、その短辺に沿って２つの長辺間に延びた第１の切り離し線となるハーフスリット１３ｃ，１３ｄが表裏貫通して形成されている。これら２本のハーフスリット１３ｃ，１３ｄのうち一方のハーフスリット１３ｃは、その端部の近傍にジッパー部１３ｅが設けられている。ジッパー部１３ｅは、ハーフスリット１３ｃの一部が途切れて構成され、途切れた端部の一方が表面シート１０の内側に斜めに向かって屈曲して構成されている。また、表面シート１０には、２本のハーフスリット１３ｃ，１３ｄ間を長辺に並行して延びたハーフスリット１３ｂが形成されるとともに、一方の長辺からハーフスリット１３ｂまで延びたハーフスリット１３ａが形成されている。ハーフスリット１３ａ〜１３ｄが上記のように形成されることで、表面シート１０は、管理票１１ａ〜１１ｃと余剰片１２ａ，１２ｂとの５つの領域が分離可能に区画形成されたものとなっている。具体的には、ハーフスリット１３ａによって管理票１１ａと管理票１１ｂとが分離可能に区画形成され、ハーフスリット１３ｂによって管理票１１ａ，１１ｂと管理票１１ｃとが分離可能に区画形成され、ハーフスリット１３ｃによって管理票１１ａ，１１ｃと余剰片１２ａとが分離可能に区画形成され、ハーフスリット１３ｄによって管理票１１ｂ，１１ｃと余剰片１２ｂとが分離可能に区画形成されている。さらに、表面シート１０には、余剰片１２ａ，１２ｂの角部が三角形に切り欠かれることでコーナーカット１４ａ，１４ｂが設けられている。
【００２６】
中間シート２０は、本願発明における第２のシートとなるものであり、例えば、上質紙から構成されている。中間シート２０は図２に示すように、長方形の形状からなり、互いに対向する２つの短辺に沿う領域のそれぞれに、その短辺に沿って２つの長辺間に延びた第２の切り離し線となるジッパーミシン２３ａ，２３ｂが表裏貫通して形成されている。ジッパーミシン２３ａ，２３ｂは、複数のＹ字型の切り込みが同じ方向を向いて縦方向に並んで構成されている。ジッパーミシン２３ａ，２３ｂがこのように形成されることで、ジッパーミシン２３ａ，２３ｂに挟まれた領域は目隠し片２１となり、ジッパーミシン２３ａ，２３ｂの外側の領域が余剰片２２ａ，２２ｂとなって、これら目隠し片２１と余剰片２２ａ，２２ｂとが分離可能に区画形成されたものとなっている。中間シート２０の表面シート１０との積層面には、その全面に貼着後の剥離が可能な擬似接着剤が塗布されることで擬似接着層４０が積層されており、それにより、表面シート１０と中間シート２０とは、剥離可能に擬似接着されている。中間シート２０の裏面シート３０との積層面には、ジッパーミシン２３ａ，２３ｂに挟まれた領域の外側に、中間シート２０の端辺から所定の幅を有してジッパーミシン２３ａ，２３ｂに沿って粘着剤が塗布されることで粘着層５０が積層されている。さらに、中間シート２０には、表面シート１０のコーナーカット１４ａ，１４ｂに対向して、余剰片２２ａ，２２ｂの角部が三角形に切り欠かれることでコーナーカット２４ａ，２４ｂが設けられている。
【００２７】
裏面シート３０は、本願発明における第３のシートとなるものである。裏面シート３０は、図３に示すように、長方形の形状からなり、中間シート２０との積層面には、中間シート２０に積層された粘着層５０に対向する領域に剥離剤が塗布されることで剥離層３１が積層されている。これにより裏面シート３０は、この剥離層３１と粘着層５０とによって中間シート２０と剥離可能に貼着されている。なお、剥離層３１は、中間シート２０との貼着面のうち、少なくとも粘着層５０に対向する領域に積層されていればよく、中間シート２０との貼着面の全面に積層されていてもよい。
【００２８】
上記のように構成された表面シート１０と中間シート２０と裏面シート３０とが積層された状態においては、図４に示すように、中間シート２０に形成されたジッパーミシン２３ａ，２３ｂは、表面シート１０に形成されたハーフスリット１３ｃ，１３ｄに対向する領域に挟まれた領域において、ハーフスリット１３ｃ，１３ｄに対向する領域に沿って形成されている。
【００２９】
以下に、上記のように構成された補助ラベル１の使用方法について説明する。
【００３０】
図５は、図１に示した補助ラベル１が貼着される被着体の一例を示す図である。
【００３１】
図１に示した補助ラベル１は、例えば図５に示すような配送物３に貼着されて使用される。配送物３には、配送物３を配送するための本ラベルとなる配送ラベル２が貼着されている。
【００３２】
配送ラベル２は、配達票２ａと貼付票２ｂとがスリット２ｆを介して分離可能に区画形成されて構成されており、配達票２ａと貼付票２ｂとのそれぞれには、配送物３の配送先や配送元の住所や氏名、名称等の個人情報となる配送情報が表示される配送情報表示領域２ｃ，２ｄが設けられているとともに、配達票２ａには、配送物３を特定するための第１の識別情報となる管理番号２ｅが表示されている。
【００３３】
このように構成された配送ラベル２は、裏面に設けられた接着手段（不図示）によって配送物３に貼着されることになるが、少なくとも配達票２ａは配送物３から剥離可能としておく必要あるため、貼着後の剥離を可能とする接着剤で配送ラベル２を配送物３に貼着したり、配送ラベル２として２枚のシートが剥離可能に貼着された構造のものを用いたりすることで、少なくとも配達票２ａが剥離可能となるように配送物３に貼着される。
【００３４】
上記のようにして配送ラベル２が貼着された配送物３は、配送ラベル２の配送情報表示領域２ｃ，２ｄに表示された配送情報に従って配送先に配送されていく。そして、配送物３の受取人が不在であった場合、不在票が配送先の郵便受け等に入れられるとともに、配送物３が配送業者によって持ち帰られる。
【００３５】
その後、配送物３の受取人が不在票に記載されたサイトにアクセスし、配送業者以外の拠点となるコンビニエンスストアにて配送物３を受け取ることが指定されると、図１に示した補助ラベル１が用いられることになる。
【００３６】
図６及び図７は、図１に示した補助ラベル１の図５に示した配送物３への貼着方法を説明するための図である。
【００３７】
図１に示した補助ラベル１を図５に示した配送物３に貼着する場合は、まず、図６に示すように、裏面シート３０を中間シート２０から剥離し、中間シート２０の裏面シート３０との貼着面に積層された粘着層５０を表出させる。この際、表面シート１０と中間シート２０のそれぞれには、その角部にコーナーカット１４ａ，１４ｂ，２４ａ，２４ｂが互いに重なり合って設けられているので、コーナーカット１４ａ，１４ｂ，２４ａ，２４ｂが設けられた角部を剥離開始端とすることで、裏面シート３０を中間シート２０から容易に剥離することができる。
【００３８】
そして、図７に示すように、中間シート２０の目隠し片２１が配送ラベル２に対向するように配送ラベル２を跨って補助ラベル１を粘着層５０によって配送物３に貼着する。この際、補助ラベル１には、管理票１１ａ〜１１ｃのいずれかに、配送物３の配送先となるコンビニエンスストアの所在地や名称等が表示されている。
【００３９】
このように図１に示した補助ラベル１が配送ラベル２を跨って貼着された状態で、配送物３がコンビニエンスストアに配送されることになる。その際、補助ラベル１が配送ラベル２を跨って配送物３に貼着された状態では、配送ラベル２の配送情報表示領域２ｃ，２ｄに表示された配送情報が補助ラベル１に覆われていることで視認不可能であるため、配送物３が配送されたコンビニエンスストアにて配送情報が見られてしまうことが回避される。
【００４０】
図８は、図１に示した補助ラベル１が貼着された配送物３がコンビニエンスストアに配送された際の補助ラベル１の使用方法を説明するための図である。
【００４１】
図１に示した補助ラベル１が貼着された配送物３がコンビニエンスストアに配送されると、例えば、図８（ａ）に示すように、管理票１１ｃが中間シート２０から剥離されて表面シート１０から分離されていく。その際、管理票１１ｃと余剰片１２ａとの境界に形成されたハーフスリット１３ｃの端部の近傍に、ハーフスリット１３ｃの一部が途切れて構成され、途切れた端部の一方が表面シート１０の内側に斜めに向かって屈曲されたジッパー部１３ｅが設けられていることで、管理票１１ｃを表面シート１０から分離する力が表面シート１０の内側に向かった場合でも、管理票１１ｃの分離部分がハーフスリット１３ｃからずれて管理票１１ｃが破断してしまうことが回避される。
【００４２】
そして、図８（ｂ）に示すように、管理票１１ｃが表面シート１０から完全に分離された後、分離された管理票１１ｃを配送業者が持ち帰ることで、配送物３がコンビニエンスストアに配送されたことを記録として残すことができる。その際、管理票１１ｃには、第２の識別情報となる管理番号１５ｂが表示されているが、管理番号１５ｂは、配送ラベル２に表示された管理番号２ｅと対応づけられている。そのため、配送業者は、管理番号１５ｂを読み取ることで、管理番号２ｅによって管理される情報、すなわち、管理番号２ｅによって特定される配送物３が認識され、この配送物３がコンビニエンスストアに配送されたことを記録として残すことができる。
【００４３】
管理票１１ｃが表面シート１０から完全に分離された状態においても、配送ラベル２の配送情報表示領域２ｃ，２ｄに表示された配送情報は、目隠し片２１で覆われているため、配送物３が配送されたコンビニエンスストアにて見られてしまうことはない。
【００４４】
図９は、図１に示した補助ラベル１が貼着された配送物３がコンビニエンスストアに配送された後に受取人が配送物３を取りに来た際の補助ラベル１の使用方法を説明するための図である。
【００４５】
図１に示した補助ラベル１が貼着された配送物３がコンビニエンスストアに配送された後に受取人が配送物３を取りに来ると、例えば、図９（ａ）に示すように、管理票１１ｂが中間シート２０から剥離されて表面シート１０から分離されていく。
【００４６】
そして、図９（ｂ）に示すように、管理票１１ｄが表面シート１０から完全に分離された後、分離された管理票１１ｄをコンビニエンスストアにて回収することで、配送物３の受取人が配送物３を受け取ったことを記録として残すことができる。その際、管理票１１ｄには、第２の識別情報となる管理番号１５ａが表示されているが、管理番号１５ａは、管理票１１ｃに表示された管理番号１５ｂと同様に、配送ラベル２に表示された管理番号２ｅと対応づけられている。そのため、管理番号１５ａを用いて、配送ラベル２が貼着された配送物３がその受取人によって受け取られたことを記録として残すことができる。また、管理票１１ｂが表面シート１０から完全に分離された状態においても、配送ラベル２の配送情報表示領域２ｃ，２ｄに表示された配送情報は、目隠し片２１で覆われているため、配送物３が配送されたコンビニエンスストアにて見られてしまうことはない。
【００４７】
このように、コンビニエンスストアに配送された配送物３を受取人が受け取ることができ、その際、配送物３がコンビニエンスストアに配送されたことと、配送物３が受取人に受け取られたことを、補助ラベル１を用いて記録として残すことができる。そして、配送物３がコンビニエンスストアに配送されてから受取人が受け取るまで、配送物３に貼着された配送ラベル２の配送情報表示領域２ｃ，２ｄに表示された配送情報が補助ラベル１によって覆われていることで、配送ラベル２の配送情報表示領域２ｃ，２ｄに表示された配送情報がコンビニエンスストアにて見られてしまうことが回避される。
【００４８】
また、表面シート１０に、複数の管理票１１ａ〜１１ｃがハーフスリット１３ａ，１３ｂによって分離可能に区画形成されていることで、配送物３がコンビニエンスストアに配送された旨を、管理票１１ｃを用いて記録として残すことができるとともに、配送物３の受取人が配送物３を受け取った旨を、管理票１１ｂを用いて記録として残すことができる。
【００４９】
図１０は、図１に示した補助ラベル１が貼着された配送物３がコンビニエンスストアに配送された後に受取人が配送物３を取りに来なかった際の補助ラベル１の使用方法を説明するための図である。
【００５０】
図１に示した補助ラベル１が貼着された配送物３がコンビニエンスストアに配送された後、受取人が配送物３を取りに来なかった場合は、配送業者が配送物３をコンビニエンスストアから回収する。そして、図１０（ａ）に示すように、管理票１１ａ〜１１ｃの全てが中間シート２０から剥離された状態において、中間シート２０のジッパーミシン２３ａ，２３ｂを破断させていくことで、目隠し片２１を中間シート２０から切り離す。この際、ジッパーミシン２３ａ，２３ｂが、複数のＹ字型の切り込みが同じ方向を向いて縦方向に並んで構成されていることで、Ｙ字型の開いた側からジッパーミシン２３ａ，２３ｂを破断していくことで、ジッパーミシン２３ａ，２３ｂの破断による中間シート２０の分離部分が、ジッパーミシン２３ａ，２３ｂが延びる方向から斜めにずれはじめた場合でも、中間シート２０の分離部分が、ジッパーミシン２３ａ，２３ｂが延びる方向からずれていってしまうことがない。
【００５１】
また、上述したように、中間シート２０のジッパーミシン２３ａ，２３ｂが、表面シート１０のハーフスリット１３ｃ，１３ｄに対向する領域に挟まれた領域に形成されているため、配送物３がコンビニエンスストアに配送された後に、ハーフスリット１３ｃ，１３ｄによって表面シート１０から分離可能に区画形成された管理票１１ａ〜１１ｃが表面シート１０から切り離された状態においては、中間シート２０の目隠し片２１が表面シート１０に覆われていない状態となる。それにより、中間シート２０の目隠し片２１を中間シート２０から容易に切り離すことができる。
【００５２】
中間シート２０の目隠し片２１を中間シート２０から完全に切り離すことで、図１０（ｂ）に示すように、配送物３に貼着された配送ラベル２が表出する。この際、補助ラベル１が、中間シート２０の目隠し片２１が配送ラベル２に対向するように配送ラベル２を跨って配送物３に貼着されていることで、補助ラベル１が粘着層５０によって配送ラベル２に貼着されていない状態となっており、中間シート２０の目隠し片２１を中間シート２０から切り離すことで、配送ラベル２を表出させることができる。
【００５３】
配送ラベル２を表出させることで、配送業者は、配送ラベル２の配送情報表示領域２ｃ，２ｄに表示された配送情報に従って、コンビニエンスストアから回収した配送物３を再配送することができる。
【００５４】
このように、表面シート１０の管理票１１ｃを中間シート２０から剥離して表面シート１０から切り離し、それを配送業者が持ち帰ることで、配送物３がコンビニエンスストアに配送された旨を記録として残すことにより、配送ラベル２が貼着されて配送された配送物３を配送業者以外の拠点となるコンビニエンスストアにて受け取るサービスが可能となる。また、配送物３の受取人がその拠点に配送物を受け取りに来なかった場合に、中間シート２０のジッパーミシン２３ａ，２３ｂに挟まれた目隠し片２１を中間シート２０から切り離すことで、配送ラベル２を表出させることにより、配送業者が配送ラベル２を用いて配送物３を再配送することが可能となる。
【００５５】
なお、本形態においては、粘着層５０が、中間シート２０の裏面シート３０との積層面のうち、ジッパーミシン２３ａ，２３ｂに挟まれた領域の外側に、中間シート２０の端辺から所定の幅を有してジッパーミシン２３ａ，２３ｂに沿って粘着剤が塗布されることで積層されているが、中間シート２０の裏面シート３０との積層面のうち、ジッパーミシン２３ａ，２３ｂに挟まれた領域の外側の少なくとも一部に積層されていればよい。
【００５６】
また、裏面シート３０は、少なくとも中間シート２０の粘着層５０が積層された２つの領域のそれぞれに剥離層３１を介して剥離可能に貼着されていればよいため、１枚のシートから構成されるのではなく、中間シート２０の粘着層５０が積層された２つの領域に分割されて構成されていてもよい。
【００５７】
また、本形態においては、表面シート１０に形成される第１の切り離し線として、ハーフスリット１３ｃ，１３ｄを例に挙げて説明したが、第１の切り離し線としては、一般的なミシン目やマイクロミシン、ジッパーミシン等を適宜採用することができる。また、中間シート２０に形成される第２の切り離し線として、ジッパーミシン２３ａ，２３ｂを例に挙げて説明したが、第２の切り離し線としては、一般的なミシン目やマイクロミシン等を適宜採用することができる。
【符号の説明】
【００５８】
１    補助ラベル
２    配送ラベル
２ａ    配達票
２ｂ    貼付票
２ｃ，２ｄ    配送情報表示領域
２ｅ，１５ａ，１５ｂ    管理番号
２ｆ    スリット
３    配送物
１０    表面シート
１１ａ〜１１ｃ    管理票
１２ａ，１２ｂ，２２ａ，２２ｂ    余剰片
１３ａ〜１３ｄ    ハーフスリット
１３ｅ    ジッパー部
１４ａ，１４ｂ，２４ａ，２４ｂ    コーナーカット
２０    中間シート
２１    目隠し片
２３ａ，２３ｂ    ジッパーミシン
３０    裏面シート
３１    剥離層
４０    擬似接着層
５０    粘着層
【図１】
2020006585.tif 000003
【図２】
2020006585.tif 000004
【図３】
2020006585.tif 000005
【図４】
2020006585.tif 000006
【図５】
2020006585.tif 000007
【図６】
2020006585.tif 000008
【図７】
2020006585.tif 000009
【図８】
2020006585.tif 000010
【図９】
2020006585.tif 000011
【図１０】
2020006585.tif 000012